(57)【要約】【課題】ホバリング入力が可能なタッチペンによる効率的な機能の実行ができる方法及びその電子装置を提供する。【解決手段】  本発明による実施形態は、あらかじめ定義された領域において第１入力が受信されたかを判断する段階、第１入力があらかじめ定義された領域において受信された後、電子装置の少なくとも１つのセンサによって第２入力が受信されたかを判断する段階、及び第２入力が少なくとも１つの予め定義された条件に符合する場合、予め定義された領域に対応する機能を行う段階を有する。【選択図】図３
2014229302.tif 000002
【特許請求の範囲】
【請求項１】
電子装置の機能の実行方法であって、
あらかじめ定義された領域において第１入力が受信されたかを判断する段階、
前記第１入力が前記あらかじめ定義された領域において受信された後、前記電子装置の少なくとも１つのセンサによって第２入力が受信されたかを判断する段階、及び
前記第２入力が少なくとも１つの予め定義された条件に符合する場合、前記予め定義された領域に対応する機能を実行する段階を含むことを特徴とする電子装置の機能の実行方法。
【請求項２】
前記第１入力が受信されたかを判断する段階は、
前記電子装置の表面上の予め定義された近接範囲内においてオブジェクトが検出されたかを判断する動作を含むことを特徴とする請求項１に記載の電子装置の機能の実行方法。
【請求項３】
前記第２入力が受信されたかを判断する段階は、
タイマーによって予め定義された時間内に前記第２入力が受信されたかを判断する動作を含むことを特徴とする請求項１に記載の電子装置の機能の実行方法。
【請求項４】
前記予め定義された領域の少なくとも一側面は前記電子装置のエッジと隣接することを特徴とする請求項１に記載の電子装置の機能の実行方法。
【請求項５】
前記予め定義された領域の少なくとも一側面はハードウェアモジュールと隣接し、
前記実行する段階は、前記ハードウェアモジュールに該当する機能を実行する動作をさらに含むことを特徴とする請求項１に記載の電子装置の機能の実行方法。
【請求項６】
前記予め定義された領域に該当する機能は、
前記電子装置のキー、前記電子装置のハードウェアモジュール、前記電子装置のオペレーションシステムの動作、及び前記電子装置のアプリケーションの動作のうち少なくとも１つに該当する機能を含むことを特徴とする請求項１に記載の電子装置の機能の実行方法。
【請求項７】
前記少なくとも１つのセンサは、
加速度計、ジャイロスコープ、振動センサ、マイクロホン、光センサ、タッチパネル、電磁デジタイザ、近接センサ、照明センサ、モーションセンサ、カメライメージセンサ、赤外線センサ及びデジタルコンパスのうち少なくとも１つを含むことを特徴とする請求項１に記載の電子装置の機能の実行方法。
【請求項８】
他のあらかじめ定義された領域において第３入力が受信されたかを判断する段階をさらに含み、
前記実行する段階は、前記第３入力が受信されたという判断に基づいて前記予め定義された領域に該当する機能を実行する動作を含むことを特徴とする請求項１に記載の電子装置の機能の実行方法。
【請求項９】
前記予め定義された領域に該当する機能は、
ボリュームキーに関連づけられた動作、パワーキーに関連づけられた動作、戻るキーに関連づけられた動作、オプションキーに関連づけられた動作、ブラウザのＵＲＬアドレスバーをディスプレイする動作、連絡先の検索バーをディスプレイする動作、インスタントメッセージ（ＩＭ）アプリケーションの検索バーをディスプレイする動作、ブラウザの戻る機能を実行する動作及びブラウザの進む機能を実行する動作のうち少なくとも１つに該当する機能を実行する動作を含むことを特徴とする請求項１に記載の電子装置の機能の実行方法。
【請求項１０】
電子装置において、
第１入力がディスプレイのあらかじめ定義された領域において受信されたかを判断し、前記第１入力が前記あらかじめ定義された領域において受信された後、前記電子装置の少なくとも１つのセンサによって第２入力が受信されたかを判断し、前記第２入力が少なくとも１つの予め定義された条件に符合する場合、前記予め定義された領域に該当する機能を実行する少なくとも１つのプロセッサを含むことを特徴とする電子装置。
【請求項１１】
前記第１入力が受信されたと判断する際、前記少なくとも１つのプロセッサは前記電子装置の表面上から予め定義された近接範囲内においてオブジェクトが検出されたかを判断することを特徴とする請求項１０に記載の電子装置。
【請求項１２】
前記第２入力が受信されたかを判断する際、前記少なくとも１つのプロセッサはタイマーによって予め定義された時間内に前記第２入力が受信されたかを判断することを特徴とする請求項１０に記載の電子装置。
【請求項１３】
前記少なくとも１つのセンサは、
加速度計、ジャイロスコープ、振動センサ、マイクロホン、光センサ、タッチパネル、電磁デジタイザ、近接センサ、照明センサ、モーションセンサ、カメライメージセンサ、赤外線センサ及びデジタルコンパスのうち少なくとも１つを含むことを特徴とする請求項１０に記載の電子装置。
【請求項１４】
電子装置のホバリング（ｈｏｖｅｒｉｎｇ）入力方法であって、
ディスプレイ画面のあらかじめ定義された領域において非接触型ペンによるホバリング入力を検出する段階、
前記ホバリング入力が検出された後、タイマーによって予め定義された時間が経過する前に前記電子装置のユーザによる動作が検出された場合、補助ホバリング入力を検出する段階、及び
前記補助ホバリング入力を検出する際、前記補助ホバリング入力にマッピングされた機能を実行する段階を含むことを特徴とする電子装置の機能の実行方法。
【発明の詳細な説明】
【技術分野】
【０００１】
本発明は、電子装置に係り、より詳しくは、機能の実行方法及びその電子装置に関する。
【背景技術】
【０００２】
電子装置のユーザは、タッチスクリーンディスプレイに対するタッチを介して電子装置との相互作用を可能にするタッチスクリーンディスプレイを具備した電子装置を利用しようという傾向がある。しかし、タッチスクリーンディスプレイはタッチが検出される解像度に制限される。したがって、タッチスクリーンディスプレイは手書き認識のような機能にはそれほど理想的ではない。タッチスクリーンディスプレイのこのような欠点を解決するために、ペン型インタフェースなどの付加的なインタフェースを具備した電子装置を付加的に提供する傾向がある。ペン型インタフェースを具現する例示的な技術が電磁共鳴（Ｅｌｅｃｔｒｏ−Ｍａｇｎｅｔｉｃ  Ｒｅｓｏｎａｎｃｅ、ＥＭＲ）技術である。
【０００３】
ＥＭＲ技術が採用されると、ＥＭＲ型ペンの座標はＥＭＲ型ペンがＥＭＲセンサの表面をタッチしなくても検出され得る。例えば、ＥＭＲ型ペンシステムは人の手のようなＥＭＲ型ペンではないものによって不注意にＥＭＲセンサの表面をタッチしたことにより誤って発生した座標を入力しない。ＥＭＲ型ペンの動作は図１を参照して下記に説明する。
【０００４】
図１は、従来の技術によるタッチスクリーン及びＥＭＲ型ペンシステムを含む構造を示した図である。
図１を参照すると、タッチスクリーンディスプレイ及びＥＭＲ型ペンシステムを含む構造は、保護層１１１、タッチセンサ層１１３、ディスプレイ層１１５及びＥＭＲセンサ層１１７を含む。保護層１１１は他の層を保護し、タッチ及び／又はＥＭＲ型ペン１０１によって押され得る面である。タッチセンサ層１１３は、保護層１１１に対するタッチを感知する。ディスプレイ層１１５は、ディスプレイを提供する。ＥＭＲセンサ層１１７は、ＥＭＲ型ペン１０を検出する。
【０００５】
ＥＭＲ型ペン１０１は、タッチセンサ層１１３から距離Ａ以内において検出されるが、この距離は、保護層１１１、タッチセンサ層１１３及びディスプレイ層１１５の結合厚さＢより大きい。例えば、ＥＭＲ型ペン１０１は、保護層１１１から近接距離Ｃ内に位置する際に検出される。
【０００６】
したがって、ＥＭＲ技術を採用した電子装置は、ＥＭＲ型ペンが電子装置上の空中においてスワイプする（ｓｗｉｐｅ）間に検出される。したがって、電子装置は、ＥＭＲ型ペンが近接距離内に電子装置上の空中においてスワイプする間に検出された状態に該当する入力を検出できる。この入力形態は、ホバリング（ｈｏｖｅｒｉｎｇ）入力と称する。例えば、電子装置が写真アルバムをディスプレイしている時ホバリング入力が検出されると、電子装置は、イメージのプレビューウィンドウをディスプレイできる。
【０００７】
しかし、ホバリング入力は上記の例に限定されない。ホバリング入力は、タッチスクリーンディスプレイの一領域において起きる２次入力形態であり得る。その代わりに又は付加的に、ホバリング入力は入力手段又はユーザの指がディスプレイ上にある間に入力が検出される形態である場合もある。また、ホバリング入力は上述した例のようなＥＭＲペンタイプの使用に限定されない。ホバリング入力は、任意の様々な形態の入力技術が採用されて具現される。例えば、ホバリング入力は、光タイプ、赤外線タイプ、表面音波タイプ、超音波タイプ、エアータッチタイプ、接触可能なペンタイプ、表面静電容量タイプ及び入力技術の他の適切な及び／又は類似したタイプが採用され得る。
【０００８】
上記の情報は、本発明の理解を助けるための背景情報としてのみ提示した。本発明に関連する従来の技術として適用され得るか否かについてはいかなる判定も行わず、いかなる主張も行わない。
【先行技術文献】
【特許文献】
【０００９】
【特許文献１】韓国特許出願公開第１０−２０１２−００８５３９２号明細書
【発明の概要】
【発明が解決しようとする課題】
【００１０】
本発明の目的は、機能の実行方法及びその電子装置を提供することにある。
【００１１】
本発明の目的は、付加的なインタフェースを有する電子装置へのユーザ入力方法を提供することにある。
【００１２】
本発明の目的は、ホバリング入力が可能なタッチペンによる効率的な機能の実行を図るように具現される電子装置を提供することにある。
【課題を解決するための手段】
【００１３】
上記目的を達成するためになされた本発明による実行方法は、あらかじめ定義された領域において第１入力が受信されたかを判断する段階、前記第１入力が前記あらかじめ定義された領域において受信された後、前記電子装置の少なくとも１つのセンサによって第２入力が受信されたかを判断する段階及び前記第２入力が少なくとも１つの予め定義された条件に符合する場合、前記予め定義された領域に対応する機能を実行する段階を含む機能の実行方法である。
【００１４】
本発明の実施形態によれば、前記第１入力が受信されたかを判断する段階は、前記電子装置の表面上の予め定義された近接範囲内においてオブジェクトが検出されたかを判断する段階を含む。
【００１５】
本発明の実施形態によれば、前記第２入力が受信されたかを判断する段階は、タイマーによって予め定義された時間内に前記第２入力が受信されたかを判断する段階を含むことができる。
【００１６】
本発明の実施形態によれば、前記電子装置の前記予め定義された領域は、ユーザ及び製造業者のうち少なくとも一方によって予め定義された電子装置の領域であり、前記予め定義された領域の少なくとも一側面は前記電子装置のエッジと隣接することができる。
【００１７】
本発明の実施形態によれば、前記予め定義された領域の少なくとも一側面は、ハードウェアモジュールと隣接し、前記実行する動作は、前記ハードウェアモジュールに該当する機能を実行する段階をさらに含むことができる。
【００１８】
本発明の実施形態によれば、前記予め定義された領域に該当する機能は、前記電子装置のキー、電子装置のハードウェアモジュール、前記電子装置のオペレーションシステムの動作、及び前記電子装置のアプリケーションの動作のうち少なくとも１つに該当する機能を含むことができる。
【００１９】
本発明の実施形態によれば、前記少なくとも１つのセンサは、加速度計、ジャイロスコープ、振動センサ、マイクロホン、光センサ、タッチパネル、電磁デジタイザ、近接センサ、照明センサ、モーションセンサ、カメライメージセンサ、赤外線センサ及びデジタルコンパスのうち少なくとも１つを含むことができる。
【００２０】
本発明の実施形態によれば、他のあらかじめ定義された領域において第３入力が受信されたかを判断する段階をさらに含み、前記実行する段階は、前記第３入力が受信されたという判断に基づいて前記予め定義された領域に該当する機能を実行する段階を含むことができる。
【００２１】
本発明の実施形態によれば、前記予め定義された領域に該当する機能は、ボリュームキーに関連づけられた動作、パワーキーに関連づけられた動作、戻るキーに関連づけられた動作、オプションキーに関連づけられた動作、ブラウザのＵＲＬアドレスバーをディスプレイする動作、連絡先の検索バーをディスプレイする動作、インスタントメッセージ（ＩＭ）アプリケーションの検索バーをディスプレイする動作、ブラウザの戻る機能を実行する動作及びブラウザの進む機能を実行する動作のうち少なくとも１つに該当する機能を実行する動作を含むことができる。
【００２２】
本発明の実施形態によれば、第１入力が前記ディスプレイのあらかじめ定義された領域において受信されたかを判断し、前記第１入力が前記あらかじめ定義された領域において受信された後、前記電子装置の少なくとも１つのセンサによって第２入力が受信されたかを判断し、前記第２入力が少なくとも１つの予め定義された条件に符合する場合、前記予め定義された領域に該当する機能を実行する少なくとも１つのプロセッサを含む電子装置を提供する。
【００２３】
本発明の実施形態によれば、前記第１入力が受信されたと判断する際、前記少なくとも１つのプロセッサは前記電子装置の表面上から予め定義された近接範囲内においてオブジェクトが検出されたかを判断する電子装置を提供する。
【００２４】
本発明の実施形態によれば、前記第２入力が受信されたかを判断する際、前記少なくとも１つのプロセッサはタイマーによって予め定義された時間内に前記第２入力が受信されたかを判断することができる電子装置を提供する。
【００２５】
本発明の実施形態によれば、前記少なくとも１つのセンサは、加速度計、ジャイロスコープ、振動センサ、マイクロホン、光センサ、タッチパネル、電磁デジタイザ、近接センサ、照明センサ、モーションセンサ、カメライメージセンサ、赤外線センサ及びデジタルコンパスのうち少なくとも１つを含むことができる電子装置を提供する。
【００２６】
本発明の実施形態によれば、ディスプレイ画面のあらかじめ定義された領域において非接触型ペンによるホバリング入力を検出する段階、前記ホバリング入力が検出された後、タイマーによって予め定義された時間が経過する前に前記電子装置のユーザによる動作が検出される場合、補助ホバリング入力を検出する段階及び前記補助ホバリング入力を検出する際、前記補助ホバリング入力にマッピングされた機能を実行する段階を含む電子装置の機能の実行方法を提供する。
【発明の効果】
【００２７】
本発明による実行方法及びその電子装置によれば、機能の実行方法及びその電子装置を提供し、付加的なインタフェースを有する電子装置へのユーザ入力方法を提供し、ホバリング入力が可能なタッチペンによる効率的な機能の実行を図るように具現される電子装置を提供できる。
【図面の簡単な説明】
【００２８】
【図１】従来の技術によるタッチスクリーンディスプレイ及び電磁共鳴（ＥＭＲ）型ペンシステムを含む構造を示した図である。
【図２】本発明の実施形態によるホバリング入力を使用する入力に対する電子装置の構成を示した図である。
【図３】本発明の実施形態による電子装置に対するホバリング入力を使用する入力方法を示したフローチャートである。
【図４】本発明の実施形態によるホバリング入力を使用する入力のためにあらかじめ定義又は特定された領域の例を示した図である。
【図５】本発明の実施形態によるホバリング入力を使用する入力によって実行される機能をあらかじめ定義又は特定された領域にユーザがマッピングする方法を示したフローチャートである。
【図６】本発明の実施形態によるホバリング入力を使用する入力を介してボリュームキーが動作する第１の例示的な具現例を示した図である。
【図７】本発明の実施形態によるホバリング入力を使用する入力を介してボリュームキーが動作する第２の例示的な具現例を示した図である。
【図８】本発明の実施形態によるホバリング入力を使用する入力を介してパワーキーが動作する第３の例示的な具現例を示した図である。
【図９】本発明の実施形態によるホバリング入力を使用する入力を介してオプションキーが動作する第４の例示的な具現例を示した図である。
【図１０】本発明の実施形態によるホバリング入力を使用する入力を介して戻る（ｂａｃｋ）キーが動作する第５の例示的な具現例を示した図である。
【図１１】本発明の実施形態によるホバリング入力を使用する入力を介してカメラ機能が動作する第６の例示的な具現例を示した図である。
【図１２】本発明の実施形態によるホバリング入力を使用する入力を介してカメラ機能が動作する第６の例示的な具現方法を示したフローチャートである。
【図１３】本発明の実施形態によるホバリング入力を使用する入力に応じてブラウザのＵＲＬアドレスバーをディスプレイする第７の例示的な具現例を示した図である。
【図１４】本発明の実施形態によるホバリング入力を使用する入力に応じて連絡先の検索バーがディスプレイされる第８の例示的な具現例を示した図である。
【図１５】本発明の実施形態によるホバリング入力を使用する入力に応じてインスタントメッセージング（Ｉｎｓｔａｎｔ  Ｍｅｓｓａｇｅ、ＩＭ）アプリケーションの検索バーがディスプレイされる第９の例示的な具現例を示した図である。
【図１６】本発明の実施形態によるホバリング入力を使用する入力に応じてブラウザの戻る機能が実行される第１０の例示的な具現例を示した図である。
【図１７】本発明の実施形態によるホバリング入力を使用する入力に応じてブラウザの進む機能が実行される第１１の例示的な具現例を示した図である。
【発明を実施するための形態】
【００２９】
本発明の様々な実施形態、そして他の様相、特徴及び長所が、添付した図面を参照した説明によって明確になる。
【００３０】
図面全体を通じて、同じ参照番号は同じ構成要素、コンポーネント、及び構造を示す。
【００３１】
添付した図面を参照した以下の説明は、請求範囲及びその均等物によって定義された本発明の例示的な実施形態に対する包括的な理解を助けるために提供される。詳細な説明は理解を助けるために様々な細部事項を含むが、これは単に例示的なものにすぎない。したがって、本発明の属する技術分野における当業者にはここで説明された実施形態の様々な変更及び変形が本発明の範囲及び技術的思想から逸脱することなく行われ得ることを認識される。また、明確性及び簡潔性のために、周知の機能及び構成についての説明は省略する。
【００３２】
説明及び請求範囲に用いられる用語及び単語は、辞典的な意味に限定されず、単に本発明の様々な実施形態に対する明確かつ一貫性のある理解のために発明者によって用いられるものである。したがって、本発明の様々な実施形態に対する説明は説明のみを目的として提供され、添付した請求範囲及びその均等物によって定義された発明を制限する目的として提供されないことが当業者には明白である。
【００３３】
別途に明示されない限り、単数形の表現は複数形を含むことができることが理解されるべきである。したがって、例えば、「１つの構成要素の表面」に対する言及は１つ以上のそのような表面に対する言及を含む。
【００３４】
本明細書に用いられる用語「実質的に」は、動作、特性、性質、状態、構造、項目又は結果の完全な又はほぼ完全な範囲又は程度を指す。例えば、「実質的に」囲まれたオブジェクトは、そのオブジェクトが完全に囲まれたか、またはほぼ完全に囲まれたことを意味する。絶対的な完全かつ正確かつ許容可能な偏差の程度は一部の場合は特定の文脈に左右され得る。しかし、一般に、完全に近いということは、絶対的かつ全体的な完全が得られることと同じ全体結果を持たせるためである。用語「実質的に」の使用は、動作、特性、性質、状態、構造、項目又は結果の完全な又はほぼ完全な不足を指すことに対する否定的な含蓄に使用される場合にも同様に適用することができる。
【００３５】
本明細書に用いられる用語「約」は与えられた値が「若干高い」または「若干低い」場合があることを許容することによって数値的な範囲に柔軟性を与えるためのものである。
【００３６】
従来の技術による電子装置のホバリング入力は、単にプレビュー機能のような単純な機能に使用され得る。しかし、ホバリング入力は、本明細書において説明される様々な実施形態の入力イベントのように、電子装置の他の入力タイプにも使用され得る。
【００３７】
本明細書において用いられる用語「非接触型（Ｎｏｎ−Ｃｏｎｔａｃｔ−Ｔｙｐｅ、ＮＣＴ）ペン」は、入力センサに対する位置がそれよりある距離以内の入力センサによって検出され得る装置をいう場合がある。入力はペン又はスタイラスのような形態である場合があり、したがって、ペン又はスタイラスに類似した方式によってユーザの手に握られる。ＮＣＴペン入力の一例が電磁誘導型ペンである。電磁誘導型ペンの一例が電磁共鳴（Ｅｌｅｃｔｒｏ−Ｍａｇｎｅｔｉｃ  Ｒｅｓｏｎａｎｃｅ、ＥＭＲ）型ペンである。
【００３８】
本明細書において、用語「ホバリング入力」は、入力実行に使用されるオブジェクトが電子装置の外部表面上の近接範囲内にある間にその入力位置が検出される入力をいう場合がある。オブジェクトの例は、指、スタイラス、ＮＣＴペンのようなペンなどを含む。また、用語「ホバリング入力」は、光タイプ入力ユニット、赤外線タイプ入力ユニット、表面音波タイプ入力ユニット、超音波タイプ入力ユニット、表面静電容量タイプ入力タッチスクリーンパネル入力ユニット、ＮＣＴペン入力ユニット及び他のタイプの入力ユニットなどの様々なタイプの入力ユニットからの入力を指す。
【００３９】
用語「ホバリング入力を使用する入力」は、１つ以上の入力が１つ以上の条件を満たす１つ以上の装置によって検出される際、座標範囲内においてホバリング入力が検出される時からタイマーによって決定された時間区間内に検出される入力イベントを指すことがある。
【００４０】
用語「あらかじめ定義又は特定された領域」は、ホバリング入力を使用した当該入力イベントに対してホバリング入力が検出される座標範囲内にある領域を指す。
【００４１】
用語「入力モニタリングモード」は、１つ以上のセンサが入力イベントが起きたと判断するために１つ以上の条件を満たす１つ以上の入力をモニタリングする間のモードを指す。
【００４２】
用語「入力モニタリング解除領域」は、入力モニタリングモードの間にホバリング入力が検出されると、入力モニタリングモードが解除される座標のライン又は範囲を指す。
【００４３】
本発明の実施形態において、用語「電子装置」は、携帯可能な電子装置、スマートフォン、携帯端末、携帯電話、移動可能なパッド、メディア再生機、タブレットコンピュータ、ハンドヘルドコンピュータ、又は個人情報端末（ＰＤＡ）であり得る。しかし、本発明はそれに限定されず、電子装置は、任意の適切な及び／又は類似の電子装置であり得る。
【００４４】
本発明の様々な実施形態は、電子装置のホバリング入力を使用した入力技術に関する。本発明の実施形態によれば、タイマーによって予め決められた時間内に１つ以上の条件を満たす１つ以上の装置によって１つ以上の入力が検出されると、あらかじめ定義又は特定された領域においてホバリング入力を生成した後、入力イベントに関連づけられた機能が実行される。本発明の実施形態によれば、ユーザが入力イベントに関連づけられた機能をディスプレイ画面から離れてホバリング入力することによって実行されるようにし、その後、タイマーによって予め定義された時間内に１つ以上の条件を満たす１つ以上のセンサによって１つ以上の入力が検出される動作を実行できる。入力イベントにマッピングされた機能は、少なくとも電子装置のキーに該当する動作、電子装置のハードウェアモジュールに該当する動作、電子装置のオペレーションシステム（ＯＳ）の動作、及び電子装置のアプリケーション動作のうち少なくとも１つであり得る。
【００４５】
図２は、本発明の実施形態によるホバリング入力を使用する入力のための電子装置の構成を示した図である。
【００４６】
図２を参照すると、電子装置２００は、メモリ２１０、プロセッサ部２２０、第１無線通信サブシステム２３０、第２無線通信サブシステム２３１、オーディオサブシステム２５０、スピーカ２５１、マイクロホン２５２、外部ポート２６０、入出力（ＩＯ）システム２７０、タッチスクリーン２８０、他の入力／制御装置２９０、センサ２９１Ａ乃至２９１Ｎ、及びカメラサブシステム２９３を含む。電子装置２００の様々なコンポーネントは、１つ以上の通信バス又は１つ以上のストリームラインを使用して接続される。ここで、複数のメモリ２１０及び複数の外部ポート２６０が使用され得る。
【００４７】
プロセッサ部２２０は、メモリインタフェース２２１、１つ以上のプロセッサ２２２及び周辺インタフェース２２３を含む。プロセッサ部２２０は、プロセッサと称することもある。
プロセッサ部２２０は、電子装置２００の全体動作を制御する。プロセッサ部２２０は、本願において電子装置２００によって実行されるものとして明白に又は暗示的に説明する機能／動作／アルゴリズム／役割のうち任意のものを実行するか、または実行するコードを発信する。例えば、プロセッサ部２２０は、電子装置２００を制御し、以下において説明する電子装置２００のホバリング入力を使用した入力のための技術を実行する。以下において用いる用語「コード」は、１つ以上の実行可能な命令、被演算（ｏｐｅｒａｎｄ）データ、構成パラメータ、及びメモリ２１０に保存された他の情報を示す。
【００４８】
特に１つ以上のプロセッサ２２２は、電子装置２００を制御して少なくとも１つのソフトウェアプログラムを使用する様々なマルチメディアサービスを提供する。すなわち、１つ以上のプロセッサ２２２がメモリ２１０に保存された少なくとも１つのプログラムを実行して当該プログラムサービスを提供する。
【００４９】
１つ以上のプロセッサ２２２は、他の機能のための複数のプロセッサを含むことができる。例えば、１つ以上のプロセッサ２２２は、１つ以上のデータプロセッサ、イメージプロセッサ、コーデックのうち  少なくとも１つを含む。
【００５０】
周辺インタフェース２２３は、ＩＯシステム２７０及び電子装置２００の少なくとも１つの周辺機器を、少なくとも１つのプロセッサ２２２及びメモリインタフェース２２１に接続する。
【００５１】
メモリインタフェース２２１は、１つ以上のプロセッサ２２２又は周辺インタフェース２２３などのコンポーネントのメモリ２２０へのアクセスを制御する。
【００５２】
電子装置２００は、音声通信機能及びデータ通信機能のうち少なくとも１つを１つ以上の無線通信サブシステム２３０及び２３１を介して実行する。
【００５３】
第１無線通信サブシステム２３０及び第２無線通信サブシステム２３１は、電子装置２００の通信ネットワークに基づいて区別され得る。例えば、通信ネットワークは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）ネットワーク、ＥＤＧＥ（Ｅｎｈａｎｃｅｄ  Ｄａｔａ  ＧＳＭ  Ｅｎｖｉｒｏｎｍｅｎｔ）ネットワーク、コード分割多重接続（ＣＤＭＡ）ネットワーク、広帯域ＣＤＭＡ（Ｗ−ＣＤＭＡ）ネットワーク、ロングタームエボリューション（ＬＴＥ）ネットワーク、直交周波数分割多重接続（ＯＦＤＭＡ）ネットワーク、ワイファイ（Ｗｉ−Ｆｉ）ネットワーク、ＷｉＭａｘネットワーク、ブルートゥース（登録商標）ネットワークのうち少なくとも１つを含むが、それに限定されない。電子装置２００は、第１無線通信サブシステム２３０及び第２無線通信サブシステム２３１を、単一の無線通信サブシステムに統合できる。
【００５４】
オーディオサブシステム２５０は、スピーカ２５１及びマイクロホン２５２に結合され、音声認識、音声再生、デジタルレコーディング、及び電話機能のためのオーディオストリーム入出力を処理する。例えば、オーディオサブシステム２５０は、スピーカ２５１及びマイクロホン２５２を介してユーザとのオーディオインタフェースを提供する。例えば、プロセッサ部２２０が周辺インタフェース２２３を介してデータ信号を受信する際、オーディオサブシステム２５０は、データストリームを電気信号に変換してその電気信号をスピーカ２５１に伝送する。スピーカ２５１は、電気信号をユーザが聴くことができる音波に変換して出力する。マイクロホン２５２は、ユーザ又は他の音源  からの音波を電気信号に変換してオーディオサブシステム２５０に伝送する。オーディオサブシステム２５０は、マイクロホン２５２から受信した電気信号をオーディオデータ信号に変換して周辺インタフェース２２３に伝送する。この時、オーディオサブシステム２５０は、着脱可能なイヤホン、ヘッドホン又はヘッドセットを含むことができる。
【００５５】
外部ポート２６０は、電子装置２００を他の電子装置に直接接続するために使用される。外部ポート２６０として、例えば、ユニバーサルシリアルバス（ＵＳＢ）をあげることができるが、それに限定されない。
【００５６】
ＩＯシステム２７０は、タッチスクリーン制御部２７１及び他の入力制御部２７２のうち少なくとも１つを含む。タッチスクリーン制御部２７１は、タッチスクリーン２８０に結合されてタッチスクリーン２８０の信号入出力を制御する。他の入力制御部２７２は、他の入力／制御装置と結合されて他の入力／制御装置２９０の信号入／出力を制御する。他の入力／制御装置２９０は、ホバリング入力実行用オブジェクトが近接範囲内にある場合、ホバリング入力の位置を検出する。
【００５７】
タッチスクリーン２８０は、電子装置２００とユーザとの間にＩＯインタフェースを提供する。例えば、タッチスクリーン２８０は、ユーザのタッチ入力を電子装置２００に伝達する。タッチスクリーン制御部２７１と関連して、タッチスクリーン２８０は静電容量、抵抗、赤外線及び表面音波技術及び様々な近接センサアレイ又は他のエレメントを含むマルチタッチ検出技術を使用してタッチ、タッチの動き及びタッチ解除を検出するが、それに限定されない。
【００５８】
タッチスクリーン２８０は、ディスプレイスクリーン又はタッチスクリーンによって実行されるものとして明白に又は暗示的に説明する任意の機能／動作／役割を実行する。例えば、タッチスクリーン２８０は、電子装置２００の状態情報、ユーザによる文字入力、動画、静止画面、などをディスプレイする。例えば、タッチスクリーン２８０は、ユーザに視覚的な出力を提供する。視覚的出力は、テキスト、グラフィック、ビデオ、及びこれらの組み合わせであり得る。
【００５９】
タッチスクリーン２８０は、様々なディスプレイを採用でき、その例としては、液晶ディスプレイ（ＬＣＤ）、発光ダイオード（ＬＥＤ）、発光ポリマーディスプレイ（ＬＰＤ）、有機ＬＥＤ（ＯＬＥＤ）、アモレッド（ＡＭＯＬＥＤ）、フレキシブルＬＥＤ（ＦＬＥＤ）のうち１つを含むが、それに限定されない。
【００６０】
他の入力／制御装置２９０は、１つ以上のハードウェアボタン、ロッカー（ｒｏｃｋｅｒ）スイッチ、サムホイール（ｔｈｕｍｂ  ｗｈｅｅｌ）、ダイヤル、スティック、スタイラスなどのポインタのうち少なくとも１つを含む。
【００６１】
センサ２９１Ａ乃至２９１Ｎは、周辺インタフェース２２３と接続されて電子装置２００の動作に関する情報をプロセッサ部２２０に提供する。例えば、センサ２９１Ａ乃至２９１Ｎは、集合的に又は個別的に特性を感知する。センサ２９１Ａ乃至２９１Ｎは、加速度計、ジャイロスコープ、バイオセンサ、デジタルコンパス、光センサのうち少なくとも１つを含む。しかし、本発明はそれに限定されず、センサ２９１Ａ乃至２９１Ｎは、特性、条件、状態又は動作を感知する適切な及び／又は類似のユニットであり得る。
【００６２】
カメラサブシステム２９３は、フォト及びビデオクリップレコーディングなどのカメラ機能を実行する。カメラサブシステム２９３は、電荷結合素子（ＣＣＤ）、ＣＭＯＳ装置などを採用した光センサを含む。
【００６３】
メモリ２１０は、メモリインタフェース２２１に接続される。メモリ２１０は、１つ以上の磁気ディスクストレージ装置及び／又は不揮発性メモリ、１つ以上の光ストレージ装置及び／又はフラッシュメモリ（例えば、ＮＡＮＤ、ＮＯＲ）などの高速のランダムアクセスメモリ（ｒａｎｄｏｍ  ａｃｃｅｓｓ  ｍｅｍｏｒｙ）を含む。
【００６４】
メモリ２１０は、１つ以上の実行可能な命令、コード、被演算データ、構成パラメータ、及び以下において説明する動作に使用される他の情報、電子装置２００によって受信、送信、保有、生成及び使用される他の任意のデータを含む様々なデータを保存する。例えば、メモリ２１０は、あらかじめ定義又は特定された領域及び機能のそれぞれに該当する１つ以上の入力イベントの間のマッピング情報を保存する。また、メモリ２１０は、少なくとも１つのプログラムを保存する。例えば、メモリ２１０は、オペレーションシステムプログラム２１１、通信プログラム２１２、グラフィックプログラム２１３、ユーザインタフェースプログラム２１４、コーデックプログラム２１５、カメラプログラム２１６及び１つ以上のアプリケーションプログラム２１７を含むことができる。メモリ２１０に保存されたプログラムは命令の集合であるので命令セットと表現する場合もある。
【００６５】
オペレーションシステムプログラム２１１は、一般的なシステム動作を制御する様々なソフトウェアコンポーネントを含む。オペレーションシステムプログラム２１１は、メモリ管理及び制御、ストレージハードウェア（装置）制御及び管理、及びパワー制御及び管理のためのソフトウェアコンポーネントを含む。オペレーションシステムプログラム２１１は、様々なハードウェア装置及びソフトウェアコンポーネント（モジュール）の間の正常な通信を処理する。オペレーションシステムプログラム２１１は、ＷＩＮＤＯＷＳ（登録商標）、ＬＩＮＵＸ（登録商標）、Ｄａｒｗｉｎ、ＲＴＸＣ、ＵＮＩＸ（登録商標）、ＯＳ  Ｘ、又はＶｘＷｏｒｋｓのうち１つを含む。
【００６６】
通信プログラム２１２は、コンピュータ、サーバ、及び／又は携帯端末のような他の電子装置と無線通信サブシステム２３０及び２３１又は外部ポート２６０を介して通信する。
【００６７】
グラフィックプログラム２１３は、タッチスクリーン２８０にグラフィックを提供してディスプレイする様々なソフトウェアコンポーネントを含む。用語「グラフィック」は、テキスト、ウェブページ、アイコン、デジタルイメージ、ビデオ、アニメーションなどを含む。
【００６８】
ユーザインタフェースプログラム２１４は、ユーザインタフェースに関連する様々なソフトウェアコンポーネントを含む。この場合、ユーザインタフェースプログラム２１４は、ユーザインタフェースの状態変化及びユーザインタフェース状態変化の条件に含まれ得る。
【００６９】
コーデックプログラム２１５は、ビデオファイルの符号化及び復号化に関するソフトウェアコンポーネントを含む。コーデックプログラム２１５は、ＭＰＥＧモジュール及び／又はＨ２０４モジュールなどのビデオストリームモジュールを含む。コーデックプログラム２１５は、認証（Ａｕｔｈｅｎｔｉｃａｔｉｏｎ）、認可（Ａｕｔｈｏｒｉｚａｔｉｏｎ）、及びアカウント管理（Ａｃｃｏｕｎｔｉｎｇ）（ＡＡＡ）、適応多重レート（Ａｄａｐｔｉｖｅ  Ｍｕｌｔｉ−Ｒａｔｅ、ＡＭＲ）、ウィンドウズ（登録商標）メディアオーディオ（Ｗｉｎｄｏｗｓ（登録商標）  Ｍｅｄｉａ  Ａｕｄｉｏ、ＷＭＡ）などの様々なオーディオファイルに対するコーデックモジュールを含む。
【００７０】
カメラプログラム２１６は、カメラ関連の処理及び機能のためのソフトウェアコンポーネントを含む。
【００７１】
１つ以上のアプリケーションプログラム２１７は、ブラウザ、電子メール、インスタントメッセージ、ワードプロセッシング、キーボードエミュレーション、アドレスブック、タッチリスト、ウィジェット、デジタル著作権管理（ＤＲＭ）、音声認識、音声再生、位置決定機能、ロケーションベースサービスなどを含む。
【００７２】
図３は、本発明の実施形態による電子装置に対するホバリング入力を使用する入力方法を示したフローチャートである。
【００７３】
図３を参照すると、ステップＳ３０１にて、電子装置は、ホバリング入力があらかじめ定義又は特定された領域において受信されたかを判断する。ここで、電子装置は、少なくともタイマーによって予め定義された時間の間ホバリング入力実行用オブジェクトがあらかじめ定義又は特定された領域において検出されるまであらかじめ定義又は特定された領域においてホバリング入力を受信しない。また、電子装置は、ホバリング入力実行用オブジェクトの座標を決定し、ホバリング入力があらかじめ定義又は特定された領域に該当する座標範囲内にあるかを判断する。ホバリング入力があらかじめ定義又は特定された領域に該当する座標範囲内にあるかを判断する際、電子装置は、ホバリング入力が現在のあらかじめ定義又は特定された領域に該当する座標範囲内にあるかを判断する。例えば、１つ以上のあらかじめ定義又は特定された領域の存在は時間に応じて変化し、電子装置の状態に応じて変化し、電子装置により、現在、動作及び／又はディスプレイされているアプリケーションに応じて変化し、ユーザ又は製造業者による設定に応じて変化し得る。あらかじめ定義又は特定された領域は、図４を参照して以下において説明する。
【００７４】
ステップＳ３０１にて、電子装置がホバリング入力があらかじめ定義又は特定された領域において受信されなかったと判断した場合、電子装置は、ステップＳ３０１を繰り返す。一方、ステップＳ３０１にて、電子装置がホバリング入力があらかじめ定義又は特定された領域において受信されたと判断した場合、電子装置は、ステップＳ３０３に進む。
【００７５】
ステップＳ３０３にて、電子装置は、入力モニタリングモードに入る。ステップＳ３０３にて、入力モニタリングモードに入った途端、電子装置は、タイマーを開始する。ここで、タイマー又はタイマーに該当する指示子がディスプレイされ得る、又は他の方式によりユーザに表示され得る。タイマーは電子装置がホバリング入力を検出する際のように、入力モニタリングモードに入る前に開始され得る。入力モニタリングモードにある間、電子装置は、入力モニタリングモードであることを示す表示を提供できる。例えば、あらかじめ定義又は特定された領域は、影処理又はハイライト処理することによって視覚的に区別され得る。あらかじめ定義又は特定された領域が視覚的に区別される場合、入力モニタリング解除領域も視覚的に区別され得る。その代わり又は付加的に、指示子は電子装置が入力モニタリングモードであることを示すことができる。例えば、アイコン又は照明ディスプレイによりユーザに電子装置が入力モニタリングモードにあることを示す。ここで、指示子はあらかじめ定義又は特定された領域に該当する機能、すなわち、入力イベントがマッピングされた機能を付加的に示すことができる。その代わり又は付加的に、サウンド又は振動により電子装置が入力モニタリングモードであることを示すことができる。
【００７６】
ステップＳ３０５にて、電子装置は、入力モニタリングモードを解除するための解除動作が検出されたかを判断する。例えば、解除動作はホバリング入力が入力モニタリング解除領域に動き、及び／又はその領域を通過することを検出することであり得る。この場合、その動作はホバリング入力が予め設定された時間区間内にあらかじめ定義又は特定された領域に戻らない場合にのみ検出され得る。
【００７７】
ステップＳ３０５にて、入力モニタリングモードを解除するための解除動作が検出されたと電子装置が判断した場合、電子装置は、ステップＳ３０７にて、入力モニタリングモードを解除する。その後、電子装置は、ステップＳ３０１に戻る。ステップＳ３０５にて、入力モニタリングモードを解除するための解除動作が検出されなかったと判断した場合、電子装置は、ステップＳ３０９に進む。
【００７８】
ステップＳ３０９にて、電子装置はタイマーが開始された後、予め定義された時間が経過したかかを判断する。電子装置はタイマーが開始された後、予め定義された時間が経過したと判断した場合、ステップＳ３０７に進む。あるいは、電子装置がタイマーが開始された後、予め設定された時間が経過しないと判断した場合、電子装置はステップＳ３１１に進む。
【００７９】
ステップＳ３１１にて、電子装置は、１つ以上の条件を満たす１つ以上の入力が受信されたかを判断する。１つ以上の入力は電子装置の枠（ｂｅｚｅｌ）をオブジェクトにより１回以上叩くこと（ｔａｐｐｉｎｇ）、口笛や音声入力などの音、電子装置の動きなどの結果であり得る。１つ以上の入力を感知するために、加速度計、ジャイロスコープ、振動センサ、マイクロホン、光センサ、及びデジタルコンパスを含むが、それに限定されない１つ以上のセンサが使用され得る。また、１つ以上の条件は、感知された１つ以上の入力のタイプ、持続時間、強度、入力回数、又は他の特性に該当し得る。１つ以上の条件は、電子装置の枠をホバリング入力実行用オブジェクトにより叩くことのような特定の動作が実行される際に感知される１つ以上の入力特性に該当するように選択される。例えば、ホバリング入力実行に使用されたオブジェクトにより電子装置の枠を叩くことが実行されたかを判断するために加速度計が使用される場合、検出される急な加速度ピークはホバリング入力実行用オブジェクトにより電子装置の枠を叩くことによる入力特性に該当する。この場合、ホバリング入力実行用オブジェクトにより電子装置の枠を叩くことによる急な加速度ピークを満たす条件が採用され得る。
【００８０】
別の例において、ホバリング入力実行用オブジェクトにより電子装置の枠を叩くことが実行されたかを判断するためにマイクロホンが使用される場合、マイクロホンへのオーディオ入力に対する高速フーリエ変換（Ｆａｓｔ  Ｆｏｕｒｉｅｒ  Ｔｒａｎｓｆｏｒｍ、ＦＦＴ）による急なピークはホバリング入力実行用オブジェクトにより電子装置の枠を叩くことに伴う入力特性に該当する。この場合、ホバリング入力実行用オブジェクトにより電子装置の枠を叩くことに該当するマイクロホンへのオーディオ入力のＦＦＴによる急なピークを満たす条件が採用され得る。
【００８１】
複数の条件が採用されると、電子装置は、付加的に複数の条件のうちいずれかが満たされたかを判断する。ここで、複数の機能は入力イベントにマッピングされ、複数の機能はそれぞれ複数の条件のうち１つに追加的にマッピングされ得る。ここで、複数の条件は、入力イベントに関連づけられたキーを長く押す、又は短く押すイベントのうち１つに該当し得る。
【００８２】
ステップＳ３１１にて、１つ以上の条件を満たす１つ以上の入力が受信されなかった場合、電子装置はステップＳ３０５に戻る。あるいは、ステップＳ３１１にて、１つ以上の条件を満たす１つ以上の入力が受信された場合、電子装置は、ステップＳ３１３に進む。ステップＳ３１３にて、電子装置は入力モニタリングモードを解除し、入力イベントにマッピングされた機能を実行する。その後、電子装置に対するホバリング入力を使用する入力方法が終了する。
【００８３】
図３を参照した上記の入力方法のステップは、上記により説明された順序と異なる順序においても実行され得る。また、図３を参照した上記の方法における１つ以上のステップが同時に実行され得る。
【００８４】
図４は、本発明の実施形態によるホバリング入力を使用する入力のためにあらかじめ定義又は特定された領域の例を示した図である。
【００８５】
図４を参照すると、電子装置４００は、ディスプレイスクリーン４０１、キー４０３及び枠４０５を含む。図４によれば、２つのあらかじめ定義又は特定された領域、すなわち、あらかじめ定義又は特定された領域４１０及びあらかじめ定義又は特定された領域４２０を示す。あらかじめ定義又は特定された領域４１０は、メニュー領域又はアプリケーションのためのあらかじめ定義又は特定された領域の例である。あらかじめ定義又は特定された領域４１０に対応する入力モニタリング解除領域４１２は、あらかじめ定義又は特定された領域４１０に隣接している。
【００８６】
あらかじめ定義又は特定された領域４２０は、枠４０５において隣接キー領域４２４のためにあらかじめ定義又は特定された領域の例である。隣接キー領域４２４はキー４０３を含む。ここで、あらかじめ定義又は特定された領域４２０は、キー４０３に該当する。キー４０３の代わりに又はキー４０３に追加的に、隣接キー領域４２４は、あらかじめ定義又は特定された領域４２０に関連づけられた機能、すなわち、当該補助ホバリング入力にマッピングされた機能の識別子を含むことができる。また、キー４０３の代わりに又はキー４０３に追加的に、隣接キー領域４２４は、カメラモジュールのようなハードウェアモジュールを含むことができる。ここで、少なくともハードウェアモジュールの一部は、隣接キー領域４２４により電子装置４００のユーザに示される。あらかじめ定義又は特定された領域４２０に対応する入力モニタリング解除領域４２２は、あらかじめ定義又は特定された領域４２０に隣接している。
【００８７】
図４を参照すると、あらかじめ定義又は特定された領域４１０及び４２０は、ディスプレイ画面４０１のエッジに沿って配置され得る。しかし、あらかじめ定義又は特定された領域は、ディスプレイ画面４０１のエッジに沿わないように配置され得る。また、あらかじめ定義又は特定された領域４１０及び４２０は、四角形により図示したが、任意の形態を有し得る。
【００８８】
ここで、電子装置４００は、ユーザがホバリング入力を使用する入力によって実行される機能をあらかじめ定義又は特定された領域にマッピングする技術を含む。ユーザが機能をあらかじめ定義又は特定された領域にマッピングする技術は、図４及び図５を参照して以下において説明する。
【００８９】
図５は、本発明の実施形態によるホバリング入力を使用する入力によって実行される機能をあらかじめ定義又は特定された領域にユーザがマッピングする方法を示したフローチャートである。
【００９０】
図４及び図５を参照すると、ユーザは、ステップＳ４３１にて、機能マッピングモードに入る。ユーザは電子装置４００のグラフィックユーザインタフェース（ＧＵＩ）を介して機能マッピングモードに入ることができる。その後、ステップＳ４３３にて、ユーザは電子装置４００のキー、ハードウェアモジュール、アプリケーションのうち１つに関連づけられた機能を選択するようにプロンプトされる。その後、ステップＳ４３５にて、ユーザはその機能を選択する。例えば、ユーザはキー４０３を選択する。ユーザはキー４０３を押してキー４０３を選択できる。または、ユーザは電子装置４００のＧＵＩを介してキー４０３を選択できる。ユーザは機能を選択した後、ステップＳ４３７にて、機能がマッピングされる領域を選択するようにプロンプトされる。例えば、ユーザは領域４２０を選択する。ここで、その領域は大きさ及び／又は位置が固定される。又はユーザは大きさ及び／又は位置を選択できる。その後、電子装置４００は、ステップＳ４３９にて、マッピングを保存して機能マッピングモードから出る。
【００９１】
本発明の実施形態によれば、１つ以上の入力がタイマーによって予め定義された時間内に１つ以上の条件を満たす１つ以上のセンサによって検出されると、あらかじめ定義又は特定された領域において入力されるホバリング入力を生成した後、補助ホバリング入力に関連づけられた機能が実行されるようにする。事実上、これはユーザにディスプレイ画面からホバリング入力をスワイプ（ｓｗｉｐｅ）してディスプレイ画面から離れるようにし、次いでタイマーによって予め定義された時間内に１つ以上の条件を満たす１つ以上のセンサによって１つ以上の入力が検出されるようにするある動作を実行することによって、ホバリング入力を使用した入力に関連づけられた機能が実行されるようにする。ホバリング入力を使用する入力にマッピングされた機能は、少なくとも電子装置のキーに該当する動作、電子装置のハードウェアモジュールに該当する動作、電子装置のＯＳ動作、及び電子装置のアプリケーションの動作のうち少なくとも１つである。
【００９２】
本発明による技術のある側面は、ユーザ、製造業者、開発者などによって構成、調整及び選択のうち少なくとも１つが実行され得る。例えば、予め定義された時間はユーザ、製造業者、開発者などによって構成、調整及び選択され得る。別の例において、あらかじめ定義又は特定された領域に該当し、ホバリング入力を使用する入力にマッピングされた機能は、ユーザ、製造業者、開発者などによって構成、調整及び選択のうち少なくとも１つが実行され得る。さらに別の例において、あらかじめ定義又は特定された領域はユーザ、製造業者、開発者などによって構成、調整及び選択のうち少なくとも１つが実行され得る。さらに別の例において、１つ以上のセンサによって検出された１つ以上の入力の１つ以上の条件は、ユーザ、製造業者、開発者などによって構成、調整及び選択のうち少なくとも１つが実行され得る。さらに別の例において、ユーザにディスプレイされるとして説明したものは、ユーザ、製造業者、開発者などによって構成、調整及び選択のうち少なくとも１つが実行され得る。
【００９３】
以下において上記の技術を採用した、様々な例示的な具現を含む様々な例示的な実施形態を説明する。様々な例示的な実施形態に対する簡単な説明のために、ホバリング入力実行用オブジェクトにより電子装置の枠を物理的に叩く動作は、１つ以上のセンサによって１つ以上の条件を満たす入力として検出される。しかし、本発明はこの動作に限定されない。より正確にいうと、１つ以上の動作の１つ以上の特性が１つ以上のセンサによって１つ以上の条件を満たす入力として検出され得る。例えば、音声命令又は電子装置を傾けることは１つ以上の条件を満たす１つ以上の入力として使用され得る。
【００９４】
また、以上において説明した技術のある特徴や側面は、説明の簡潔性のために、例示的な具現について明らかに説明されていない場合もある。しかし、以下において説明する様々な例示的な具現は、本発明による技術の任意の特徴や側面を基にしている。また、例示的な具現について説明する任意の特徴や側面は、他の例示的な具現又は技術に同一に適用できる。
【００９５】
１）第１の例示的な実施形態
第１例示的な実施形態を、第１乃至第５の例示的な具現例を参照して以下において説明する。第１例示的な実施形態において、電子装置の様々なキーが、ホバリング入力を使用する入力を介して動作され得る。そのキーの例は、ボリュームキー、オプションキー及び戻る（ｂａｃｋ）キーである。
【００９６】
Ａ．第１の例示的な具現例
図６は、本発明の実施形態によるホバリング入力を使用する入力を介してボリュームキーが動作する第１の例示的な具現例を示した図である。
【００９７】
図６を参照すると、ボリュームキー５０３に関連づけられたあらかじめ定義又は特定された領域５０１においてホバリング入力実行用オブジェクト５１０によりホバリング入力を生成した後、電子装置５００が予め設定された時間内にホバリング入力実行用オブジェクト５１０により物理的に叩かれると（図６の５０５）、電子装置５００は、ボリューム制御ユーザインタフェース（ＵＩ）５０７をディスプレイする。その後、電子装置５００のユーザは、ボリューム制御ＵＩ５０７を使用して電子装置５００のボリュームを操作できる。ここで、ホバリング入力実行用オブジェクト５１０は、ＮＣＴペンであり得る。ボリュームキー５０３は、ハードウェアキー、静電容量キー、又は電子装置５００のボリュームを調節するいずれか他の適切なタイプのキーであり得る。ボリュームキー５０３に関連づけられた動作はＯＳ又はアプリケーション動作であり得る。
【００９８】
ボリュームキー５０３は、電子装置５００におけるディスプレイ画面を含む側面とは異なる電子装置５００上に位置し得る。または、ボリュームキー５０３は、電子装置５００におけるディスプレイ画面を含む面と同じ面、あるいは側面に位置し得る。あらかじめ定義又は特定された領域５０１のエッジはディスプレイ画面において少なくともボリュームキー５０３に最も近いエッジの一部に該当し得る。
【００９９】
Ｂ．第２の例示的な具現例
図７は、本発明の実施形態によるホバリング入力を使用する入力を介してボリュームキーが動作する第２の例示的な具現例を示した図である。
【０１００】
図７を参照すると、ボリュームキー６０３に関連付けられてあらかじめ定義又は特定された領域６０１においてホバリング入力実行用オブジェクト６１０によりホバリング入力を生成した後、電子装置６００が予め設定された時間内にホバリング入力実行用オブジェクト６１０により物理的に叩かれると（図７の６０５）、電子装置６００のボリュームは叩かれた（図７の６０５）後、あらかじめ定義又は特定された領域６０１内のホバリング位置、例えば、上部又は下部座標に基づいて調整され得る。この場合、電子装置６００は、ボリューム制御ＵＩ６０７を表示してユーザにボリューム調整に対するフィードバックを提供できる。
【０１０１】
ここで、ホバリング入力実行に使用されたオブジェクト６１０は、ＮＣＴペンであり得る。ボリュームキー６０３は、ハードウェアキー、静電容量キー、又は電子装置６００のボリュームを調整するいずれか他の適切なキーであり得る。ボリュームキー６０３は、電子装置６００におけるディスプレイ画面を含む側面とは異なる電子装置６００上に位置し得る。または、ボリュームキー６０３は、電子装置６００におけるディスプレイ画面を含む面と同じ面、あるいは電子装置６００の側面に位置し得る。あらかじめ定義又は特定された領域６０１のエッジはディスプレイ画面において少なくともボリュームキー６０３に最も近いエッジの一部に該当し得る。
【０１０２】
Ｃ．第３の例示的な具現例
図８は、本発明の実施形態によるホバリング入力を使用する入力を介してパワーキーが動作する第３の例示的な具現例を示した図である。
【０１０３】
図８を参照すると、パワーキー７０３に関連付けられてあらかじめ定義又は特定された領域７０１上においてホバリング入力実行用オブジェクト７１０によりホバリング入力を生成した後、タイマーによって予め定義された時間内にホバリング入力実行用オブジェクト７１０により電子装置７００の枠が叩かれると、電子装置７００はパワーキー７０３が作動されたように電源が切れられる。または、パワーキー７０３に関連付けられてあらかじめ定義又は特定された領域７０１上においてホバリング入力用オブジェクト７１０によりホバリング入力を生成した後、タイマーによって予め定義された時間内にホバリング入力実行用オブジェクト７１０により電子装置７００の枠が叩かれると、電子装置７００はパワー制御ＵＩ７０７をディスプレイすることができ、電子装置７００のユーザはパワー制御ＵＩ７０７を使用して電子装置７００をオフにすることができる。ここで、電子装置７００はオフされるか、叩きの強度、持続時間又は回数のうち少なくとも１つに応じてパワー制御ＵＩ７０７がディスプレイされ得る。例えば、電子装置７００は、叩きの強度、持続時間又は回数のうち少なくとも１つに応じて、パワーキー７０３が長く又は短く押されるイベントのうち１つに該当する動作を実行できる。パワーキー７０３に関連づけられた動作は、ＯＳ又はアプリケーション動作であり得る。
【０１０４】
ここで、ホバリング入力実行用オブジェクト７１０は、ＮＣＴペンであり得る。パワーキー７０３は、ハードウェアキー、静電容量キー、又は電子装置７００のパワーをトグル（ｔｏｇｇｌｅ）するために適切ないずれか他のタイプのキーであり得る。パワーキー７０３は、電子装置７００におけるディスプレイ画面を含む側面とは異なる電子装置７００上に位置し得る。または、パワーキー７０３は、電子装置７００におけるディスプレイ画面を含む面と同じ面、あるいは電子装置７００の側面に位置し得る。あらかじめ定義又は特定された領域７０１のエッジはディスプレイ画面において少なくともパワーキー７０３に最も近いエッジの一部に該当し得る。
【０１０５】
Ｄ．第４の例示的な具現例
図９は、本発明の実施形態によるホバリング入力を使用する入力を介してオプションキーが動作する第４の例示的な具現例を示した図である。
【０１０６】
図９を参照すると、オプションキー８０３に関連付けられてあらかじめ定義又は特定された領域８０１上においてホバリング入力実行用オブジェクト８１０によりホバリング入力を生成した後、タイマーによって予め定義された時間内にホバリング入力実行用オブジェクト８１０により電子装置８００の枠が叩かれると、電子装置８００は、オプションキー８０３が作動されたように動作する。この場合、オプションキー８０３の作動は電子装置８００がホーム画面８０７からオプション画面８０９に遷移することである。オプションキー８０３に関連づけられた動作は、ＯＳ又はアプリケーションの動作であり得る。
【０１０７】
ここで、ホバリング入力実行用オブジェクト８１０は、ＮＣＴペンであり得る。オプションキー８０３は、ハードウェアキー、静電容量キー、又はオプション画面８０９をディスプレイさせるために適切ないずれか他のタイプのキーであり得る。オプションキー８０３は、電子装置８００におけるディスプレイ画面を含む側面とは異なる電子装置８００上に位置し得る。または、オプションキー８０３は、電子装置８００におけるディスプレイ画面を含む面と同じ面、あるいは電子装置８００の側面に位置し得る。あらかじめ定義又は特定された領域８０１のエッジはディスプレイ画面における少なくともオプションキー８０３に最も近いエッジの一部に該当し得る。
【０１０８】
Ｅ．第５の例示的な具現例
図１０は、本発明の実施形態によるホバリング入力を使用する入力を介して戻るキーが動作する第５の例示的な具現例を示した図である。
【０１０９】
図１０を参照すると、戻るキー９０３に関連付けられてあらかじめ定義又は特定された領域９０１上においてホバリング入力実行用オブジェクト９１０によりホバリング入力を生成した後、タイマーによって予め定義された時間内にホバリング入力実行用オブジェクト９１０により電子装置９００の枠が叩かれると、電子装置９００は戻るキー９０３が作動されたように動作し得る。この場合、戻るキー９０３の作動は、電子装置９００がオプション画面９０７からホーム画面９０９に移行するようにすることができる。戻るキー９０３に関連づけられた動作は、ＯＳ又はアプリケーション動作であり得る。
【０１１０】
ここで、ホバリング入力実行用オブジェクト９１０は、ＮＣＴペンであり得る。戻るキー９０３は、ハードウェアキー、静電容量キー、又はオプション画面９０７をディスプレイさせるために適切ないずれか他のタイプのキーであり得る。戻るキー９０３は、電子装置９００におけるディスプレイ画面を含む側面とは異なる電子装置９００上に位置し得る。または、戻るキー９０３は、電子装置９００におけるディスプレイ画面を含む面と同じ面、あるいは電子装置９００の側面に位置し得る。あらかじめ定義又は特定された領域９０１のエッジはディスプレイ画面において少なくとも戻るキー９０３に最も近いエッジの一部に該当し得る。
【０１１１】
２）第２例示的な実施形態
第２例示的な実施形態を第６の例示的な具現例を参照して以下において説明する。第２例示的な実施形態により、電子装置のハードウェアモジュールはホバリング入力を使用する入力を介して動作され得る。ハードウェアモジュールの例はカメラを含む。
【０１１２】
Ａ．第６の例示的な具現例
図１１は、本発明の実施形態によるホバリング入力を使用する入力を介してカメラ機能が動作する第６の例示的な具現例を示した図である。
図１２は、本発明の実施形態によるホバリング入力を使用する入力を介してカメラ機能が動作する第６の例示的な具現の方法を示したフローチャートである。
【０１１３】
図１１及び１２を参照すると、ステップＳ１０２０にて、カメラ機能に関連付けられてあらかじめ定義又は特定された領域１００１上においてホバリング入力実行用オブジェクト１０１０によりホバリング入力を生成した後、タイマーによって予め定義された時間内にホバリング入力実行用オブジェクト１０１０により電子装置１０００の枠が物理的に叩かれると、ステップＳ１０４０にて、電子装置１０００はカメラ機能１００７を開始する。ここで、あらかじめ定義又は特定された領域１００１はカメラレンズと隣接し得る。したがって、あらかじめ定義又は特定された領域１００１は、電子装置１０００の露出されたハードウェアモジュールと隣接し得る。ここで、ステップＳ１０３０は、図３のステップＳ３０３乃至ステップＳ３１１に相当し得る。また、ステップＳ１０４０は図３のステップＳ３１３に相当する。
【０１１４】
ここで、ホバリング入力実行用オブジェクト１０１０は、ＮＣＴペンであり得る。また、電子装置１０００の露出されたハードウェアモジュールは電子装置１０００におけるディスプレイ画面を含む側面とは異なる電子装置１０００上に位置し得る。または、電子装置１０００の露出されたハードウェアモジュールは、電子装置１０００の側面に位置し得る。あらかじめ定義又は特定された領域１００１のエッジは、ディスプレイ画面において少なくとも電子装置１０００の露出されたハードウェアモジュールに最も近いエッジの一部に該当し得る。
【０１１５】
３）第３例示的な実施形態
第３例示的な実施形態は第７乃至１１の例示的な具現例を参照して以下において説明する。第３例示的な実施形態により、アプリケーション機能はホバリング入力を使用する入力を介して開始され得る。アプリケーション機能の例はブラウザのＵＲＬアドレスバー、連絡先の検索バー、ＩＭアプリケーションの検索バー、ブラウザの戻る機能及び進む機能を含む。
【０１１６】
Ａ．第７の例示的な具現例
図１３は、本発明の実施形態によるホバリング入力を使用する入力に応じてブラウザのＵＲＬアドレスバーをディスプレイする第７の例示的な具現例を示した図である。
【０１１７】
図１３を参照すると、ブラウザ１１０７がディスプレイされる間、ＵＲＬアドレスバー１１０９を表示する機能に関連付けられてあらかじめ定義又は特定された領域１１０１上においてホバリング入力実行用オブジェクト１１１０によりホバリング入力を生成した後、タイマーによって予め定義された時間内にホバリング入力実行用オブジェクト１１１０により電子装置１１００の枠が叩かれると、電子装置１１００はＵＲＬアドレスバー１１０９をディスプレイできる。ここで、予め設定された時間内にＵＲＬアドレスバー１１０９に何も入力されなかった場合、ＵＲＬアドレスバー１１０９のディスプレイは断絶され得る。あらかじめ定義又は特定された領域１１０１のエッジはディスプレイ画面の上部エッジのようなディスプレイ画面エッジの少なくとも一部に該当し得る。
【０１１８】
ここで、ホバリング入力実行用オブジェクト１１１０は、ＮＣＴペンであり得る。また、ＵＲＬアドレスバー１１０９を表示する機能に対応するあらかじめ定義又は特定された領域１１０１はブラウザ１１０７がディスプレイされる間にのみ現れることができる。または、ＵＲＬアドレスバー１１０９を表示する機能に対応するあらかじめ定義又は特定された領域１１０１は、ブラウザ１１０７がディスプレイされない間に現れることができる。この場合、補助ホバリング入力は、ＵＲＬアドレスバー１１０９以外にブラウザがディスプレイされるようにすることができる。
【０１１９】
Ｂ．第８の例示的な具現例
図１４は、本発明の実施形態によるホバリング入力を使用する入力に応じて連絡先の検索バーがディスプレイされる第８の例示的な具現例を示した図である。
【０１２０】
図１４を参照すると、連絡先１２０７がディスプレイされる間、検索バー１２０９を表示する機能に関連付けられてあらかじめ定義又は特定された領域１２０１上においてホバリング入力実行用オブジェクト１２１０によりホバリング入力を生成した後、タイマーによって予め定義された時間内にホバリング入力実行用オブジェクト１２１０により電子装置１２００の枠が叩かれると、電子装置１２００は検索バー１２０９をディスプレイする。ここで、検索バー１２０９が検索される間に連絡先１２０７をスクロールする入力１２１１が受信されると、検索バー１２０９のディスプレイは断絶され得る。付加的に又はその代わりに、予め設定された時間内に検索バー１２０９に何も入力されなかった場合、検索バー１２０９のディスプレイは断絶され得る。付加的に又はその代わりに、連絡先１２０７がスクロールされる際、電子装置１２００が検索バー１２０９をディスプレイするように構成される場合、補助ホバリング入力は、連絡先１２０７をスクロールせず、検索バー１２０９がディスプレイされるようにできる。あらかじめ定義又は特定された領域１２０１のエッジはディスプレイ画面の上部エッジのようなディスプレイ画面エッジの少なくとも一部に該当する。
【０１２１】
ここで、ホバリング入力実行用オブジェクト１２１０は、ＮＣＴペンであり得る。また、検索バー１２０９を表示する機能に対応するあらかじめ定義又は特定された領域１２０１は、連絡先１２０７がディスプレイされる間にのみ現れることができる。又は、検索バー１２０９を表示する機能に対応するあらかじめ定義又は特定された領域１２０１は連絡先１２０７がディスプレイされない間に現れることができる。この場合、補助ホバリング入力は、検索バー１２０９以外に連絡先１２０７がディスプレイされるようにする。
【０１２２】
Ｃ．第９の例示的な具現例
図１５は、本発明の実施形態によるホバリング入力を使用する入力に応じてＩＭアプリケーション検索バーがディスプレイされる第９の例示的な具現例を示した図である。
【０１２３】
図１５を参照すると、ＩＭアプリケーション１３０７がディスプレイされる間、ＩＭ履歴をスクロールするための入力が受信されると、検索バー１３０９がディスプレイされないようにしてＩＭヒストリーがスクロールされ得る。しかし、ＩＭアプリケーション１３０７がディスプレイされる間、検索バー１３０９を表示する機能に関連付けられてあらかじめ定義又は特定された領域１３０１上においてホバリング入力実行用オブジェクト１３１０によりホバリング入力を生成した後、タイマーによって予め定義された時間内にホバリング入力実行用オブジェクト１３１０により電子装置１３００の枠が叩かれると、電子装置１３００は検索バー１３０９をディスプレイできる。すると、ホバリング入力実行用オブジェクト１３１０は、検索バー１３０９に検索情報を入力するように使用され得る。又は予め設定された時間内に検索バー１３０９に何も入力されなかった場合、検索バー１３０９のディスプレイは断絶される。あらかじめ定義又は特定された領域１３０１のエッジはディスプレイ画面の上部エッジのような、ディスプレイ画面エッジの少なくとも一部に該当し得る。
【０１２４】
ここで、ホバリング入力実行用オブジェクト１３１０は、ＮＣＴペンであり得る。また、検索バー１３０９を表示する機能に対応するあらかじめ定義又は特定された領域１３０１はＩＭアプリケーション１３０７がディスプレイされる間にのみ現れることができる。又は、検索バー１３０９を表示する機能に対応するあらかじめ定義又は特定された領域１３０１は連絡先１３０７がディスプレイされない間に現れることができる。この場合、補助ホバリング入力は、検索バー１３０９以外にＩＭアプリケーション１３０７がディスプレイされるようにすることができる。
【０１２５】
Ｄ．第１０の例示的な具現例
図１６は、本発明の実施形態によるホバリング入力を使用する入力に応じてブラウザの戻る機能が実行される第１０の例示的な具現例を示した図である。
【０１２６】
図１６を参照すると、ブラウザ１４０７がディスプレイされる間、戻る機能に関連付けられてあらかじめ定義又は特定された領域１４０１上においてホバリング入力実行用オブジェクト１４１０によりホバリング入力を生成した後、タイマーによって予め定義された時間内にホバリング入力実行用オブジェクト１４１０により電子装置１４００の枠が叩かれると、電子装置１４００は戻る機能１４０９を実行してブラウザ１４０７に以前にディスプレイされたページをディスプレイする。あらかじめ定義又は特定された領域１４０１のエッジはディスプレイ画面の左側エッジのようなディスプレイ画面のエッジの少なくとも一部に該当し得る。
【０１２７】
ここで、ホバリング入力実行用オブジェクト１４１０は、ＮＣＴペンであり得る。また、戻る機能に該当するあらかじめ定義又は特定された領域１４０１は、ブラウザ１４０７がディスプレイされる間にのみ現れることができる。
【０１２８】
Ｅ．第１１の例示的な具現例
図１７は、本発明の実施形態によるホバリング入力を使用する入力に応じてブラウザの進む機能が実行される第１１の例示的な具現例を示した図である。
【０１２９】
図１７を参照すると、ブラウザ１５０７がディスプレイされる間、進む機能に関連付けられてあらかじめ定義又は特定された領域１５０１上においてホバリング入力実行用オブジェクト１５１０によりホバリング入力を生成した後、タイマーによって予め定義された時間内にホバリング入力実行用オブジェクト１５１０により電子装置１５００の枠が叩かれると、電子装置１５００は進む機能１５０９を実行してブラウザ１５０７に次のページをディスプレイする。あらかじめ定義又は特定された領域１５０１のエッジはディスプレイ画面の右側エッジのようなディスプレイ画面のエッジの少なくとも一部に該当し得る。
【０１３０】
ここで、ホバリング入力実行用オブジェクト１５１０は、ＮＣＴペンであり得る。また、進む機能に該当するあらかじめ定義又は特定された領域１５０１はブラウザ１５０７がディスプレイされる間にのみ現れることができる。
【０１３１】
ここで、上述した様々な実施形態は、通常、所定範囲までの入力データの処理及び出力データの生成を含むことが周知されるべきである。この入力データ処理及び出力データ生成は、ハードウェア、又はハードウェアと結合されたソフトウェアとして具現され得る。例えば、特定の電子コンポーネントが上記の様々な実施形態に関連づけられた機能を具現した電子装置又は類似または関連の回路に採用され得る。又は保存された命令（すなわち、コード）に従って動作する１つ以上のプロセッサは、上記の様々な実施形態に関連づけられた機能を具現できる。そのような場合であれば、そのような命令が１つ以上の非一時的なプロセッサが読出可能な媒体に保存され得ることは本発明の範囲内にある。非一時的なプロセッサが読出可能な媒体はＲＯＭ、ＲＡＭ、ＣＤ−ＲＯＭ、磁気テープ、フロッピー（登録商標）ディスク及び光データストレージユニットを含む。また、非一時的なプロセッサが読出可能な媒体は、命令が分散された形態により保存及び実行されるようにコンピュータシステムに結合されたネットワークに分散され得る。また、本発明を達成するための機能的なコンピュータプログラム、命令及び命令セグメントは本発明が属する技術分野のプログラマーによって容易に解析され得る。
【０１３２】
本発明の様々な実施形態は、プレビュー機能のような単純な機能だけでなく入力イベントのような電子装置の他の入力形態にも使用でき、電子装置の効率的な機能の実行に資することができる。
【０１３３】
本発明の様々な実施形態は添付された請求範囲とその均等物によって定義された発明の思想と範囲から逸脱することなく、その中において様々な形態及び詳細の内容が変更され得ることが当業者に理解されるであろう。
【符号の説明】
【０１３４】
１０１  ＥＭＲ型ペン
１１１  保護層
１１３  タッチセンサ層
１１５  ディスプレイ層
１１７  ＥＭＲセンサ層
２００、４００、５００、６００、７００、８００、９００、１０００、１１００、１２００、１３００、１４００、１５００  電子装置
２１０  メモリ
２１１  オペレーションシステムプログラム
２１２  通信プログラム
２１３  グラフィックプログラム
２１４  ユーザインタフェースプログラム
２１５  コーデックプログラム
２１６  カメラプログラム
２１７  アプリケーションプログラム
２２０  プロセッサ部
２２１  メモリインタフェース
２２２  プロセッサ
２２３  周辺インタフェース
２３０  第１無線通信サブシステム
２３１  第２無線通信サブシステム
２５０  オーディオサブシステム
２５１  スピーカ
２５２  マイクロホン
２６０  外部ポート２６０
２７０  入出力（ＩＯ）システム
２７１  タッチスクリーン制御部
２７２  他の入力制御部
２８０  タッチスクリーン
２９０  他の入力／制御装置
２９３  カメラサブシステム
４０１  ディスプレイスクリーン
４０３  キー
４０５  枠
４１０、４２０、５０１、６０１、７０１、８０１、９０１、１００１、１１０１、１２０１、１３０１、１４０１、１５０１  あらかじめ定義又は特定された領域
４１２、４２２  入力モニタリング解除領域
４２４  隣接キー領域
５０３、６０３  ボリュームキー
５０７、６０７  ボリューム制御ユーザインタフェース（ＵＩ）
５１０、６１０、７１０、８１０、９１０、１０１０、１１１０、１２１０、１３１０、１４１０、１５１０  ホバリング入力実行用オブジェクト
７０３  パワーキー
７０７  パワー制御ＵＩ
８０３  オプションキー
８０９、９０７  オプション画面
９０３  戻るキー
１１０７、１４０７、１５０７  ブラウザ
１１０９  ＵＲＬアドレスバー
１２０７  連絡先
１２０９、１３０９  検索バー
１３０７  ＩＭアプリケーション
【図１】
2014229302.tif 000003
【図２】
2014229302.tif 000004
【図３】
2014229302.tif 000005
【図４】
2014229302.tif 000006
【図５】
2014229302.tif 000007
【図６】
2014229302.tif 000008
【図７】
2014229302.tif 000009
【図８】
2014229302.tif 000010
【図９】
2014229302.tif 000011
【図１０】
2014229302.tif 000012
【図１１】
2014229302.tif 000013
【図１２】
2014229302.tif 000014
【図１３】
2014229302.tif 000015
【図１４】
2014229302.tif 000016
【図１５】
2014229302.tif 000017
【図１６】
2014229302.tif 000018
【図１７】
2014229302.tif 000019